(57)【要約】【課題】どのような剃り方をしても肌に追従できるようにヘッド移動量を大きくすること。防塵や防水が確実に行うこと。【解決手段】モータと刃を備えたヘッド部Ａがグリップ部Ｂに対して移動自在に支持されている電気かみそり１である。グリップ部Ｂの内部にヘッド部Ａの底面よりも下側に位置する箱状空間を形成すると共に、該箱状空間よりも上方に延出する前後壁を設け、前後壁によりヘッド部Ａを前後方向Ｅから挟み込んで保持した。【選択図】　　　　図１
2004016812.tif 000002
【特許請求の範囲】
【請求項１】
モータと刃を備えたヘッド部がグリップ部に対して移動自在に支持されている電気かみそりにおいて、グリップ部の内部にヘッド部の底面よりも下側に位置する箱状空間を形成すると共に、該箱状空間よりも上方に延出する前後壁を設け、前後壁によりヘッド部を前後方向から挟み込んで保持して成ることを特徴とする電気かみそりの可動ヘッド保持構造。
【請求項２】
上記ヘッド部とグリップ部の箱状空間の上面側との間に、グリップ部をバネ付勢する付勢要素を設けたことを特徴とする請求項１記載の電気かみそりの可動ヘッド保持構造。
【請求項３】
上記付勢要素は、ヘッド部に回転自在に結合されたヘッド支持部材をグリップ部の前後壁の内側に形成されたガイド溝で上下動自在に保持すると共に該ヘッド支持部材を上方に向かってバネ付勢したことを特徴とする請求項２記載の電気かみそりの可動ヘッド保持構造。
【請求項４】
上記ヘッド支持部材をヘッド部の左右方向に複数個設けたことを特徴とする請求項３記載の電気かみそりの可動ヘッド保持構造。
【請求項５】
上記ヘッド支持部材をガイドするガイド溝の上端側に弾性部材を配置したことを特徴とする請求項３記載の電気かみそりの可動ヘッド保持構造。
【請求項６】
上記グリップ部は、前後２つのハウジングによって箱状空間とそれよりも上方に延出する前後壁とが構成されていることを特徴とする請求項１記載の電気かみそりの可動ヘッド保持構造。
【請求項７】
上記ヘッド部の底面中央付近に底面両側よりも下側に突出する突出部を設けたことを特徴とする請求項１記載の電気かみそりの可動ヘッド保持構造。
【請求項８】
上記ヘッド部の突出部をグリップ部の前後壁で前後方向から覆ったことを特徴とする請求項７記載の電気かみそりの可動ヘッド保持構造。
【請求項９】
上記前後壁の左右方向の幅寸法をグリップ部の左右方向の幅寸法よりも短くしたことを特徴とする請求項１又は６又は８記載の電気かみそりの可動ヘッド保持構造。
【請求項１０】
上記前後壁のいずれか一方にヘッド部を前後方向に保持する機構を設けたことを特徴とする請求項１又は３又は６又は８又は９記載の電気かみそりの可動ヘッド保持構造。
【請求項１１】
上記ヘッド部の背面下部から、前後壁のいずれか他方に摺接してヘッド部の前後方向の傾きを防止する突起部を延出してなることを特徴とする請求項１０記載の電気かみそりの可動ヘッド保持構造。
【請求項１２】
上記ヘッド部とグリップ部の箱状空間との間を防水構造として、ヘッド部とグリップ部とを弾性チューブで結合すると共に、弾性チューブ内にヘッド部にグリップ部からの電力を供給するための電気配線を通したことを特徴とする請求項１記載の電気かみそりの可動ヘッド保持構造。
【請求項１３】
グリップ部の少なくとも正面にエラストマ製の滑り止め部を配置したことを特徴とする請求項１〜１２のいずれか記載の電気かみそりの可動ヘッド保持構造。
【発明の詳細な説明】
【０００１】
【発明の属する技術分野】
本発明は、ヘッド部がグリップ部に対して相対移動を行なうことにより、シェービング時に刃が肌に密着するようにした電気かみそりの可動ヘッド保持構造に関するものである。
【０００２】
【従来の技術】
従来、この種の電気かみそりにおいて、ヘッド部とグリップ部とを分離してヘッド部を左右に揺動する方式では、ヘッド部の下部側に内蔵したモータ部分がグリップ部に覆われているため、ヘッド部が左右に動く量が大きく規制されてしまい、肌への追随性において十分に機能が発揮できないという問題を有する。
【０００３】
従来、ヘッド部がグリップ部に対して相対移動を行なうことにより、シェービング時に刃を肌に密着させるための構造が数多く提案されている。その代表的な事例として、モータとヘッド部を一体として、グリップ部の前後壁によりヘッド部が左右回転自在に支持されたものが知られている（例えば、特許文献１参照。）。
【０００４】
特許文献１のように、モータとヘッド部を一体として、グリップ部の前後壁によりヘッド部が左右回転自在に支持されたものでは、ヘッド部と一体となったモータがグリップケースの奥まで入り込んでいるために、グリップケースの上面は大きく開放した形となっており、その開放面を覆うためにヘッド部の底面を開放面と同じＲ面で形成し、Ｒ面に沿ってのみヘッド部が移動可能となっている。よって、グリップ部に対するヘッド部の動きは非常に制限されたものとなってしまい、肌への追従性を大きく向上させることはできないという問題がある。また、ヘッド部の左右回転に伴うモータがグリップケース内の移動が十分にできるように、グリップ部の幅を相当に大きくしているが、ヘッドよりも大きな幅のグリップ部となってしまい、非常に持ちにくいものとなってしまうという問題もある。
【０００５】
また他の従来例として、肌面の左右方向及び上下方向の変化に対して追従を向上させることを目的として、モータとヘッド部を一体としてグリップ部に対してヘッド部が左右、上下動自在に支持されたものが知られている（例えば、特許文献２参照。）。
【０００６】
しかしながら、特許文献２においても、ヘッド部と一体となったモータ部が、グリップ部に対して奥まで入り込んでおり、そのために左右方向に大きく回転させようとした場合には、モータがグリップケースの内面に当たってしまうために、左右方向の回転自由角度はわずかしか確保できないという問題を有している。
【０００７】
更に、刃ヘッドケース内にモータを配置し、ヘッド上端付近に設けた回転軸を中心として前後方向に回転自在に支持されているものもある（例えば、ＷＯ００／３８８９１）。しかしながらこの構成においては、ヘッド部の回転方向が前後方向となっており、ヘッド部が回転するとその下端部はグリップ部よりも大きく突出する。この状態においてグリップ部を持つ指が当たらないようにするためには、ヘッド部を相当に小さくする必要があり、この場合、通常のモータでは十分なパワーが出せず、切れ味の悪いものとなってしまう。なお回転軸位置を下側にする構成も考えられるが、その場合には剃り方によってはヘッド部が肌から離れる側に回転する動作が起きてしまい、実使用上機能を果たさない結果となってしまう。
【０００８】
【特許文献１】
特開平６−３４３７７６号公報
【特許文献２】
特開平１０−４３４４３号公報
【０００９】
【発明が解決しようとする課題】
本発明はこのような点に鑑み為されたものであり、その目的とするところは、どのような剃り方をしても肌に追従できるようにヘッド移動量を大きくできると共に、防塵や防水が確実に行える電気かみそりの可動ヘッド保持構造を提供することを課題とするものである。
【００１０】
【課題を解決するための手段】
上記課題を解決するために本発明にあっては、モータ５と刃を備えたヘッド部Ａがグリップ部Ｂに対して移動自在に支持されている電気かみそりにおいて、グリップ部Ｂの内部にヘッド部Ａの底面よりも下側に位置する箱状空間１１０を形成すると共に、該箱状空間１１０よりも上方に延出する前後壁２１ａ，２４ａを設け、前後壁２１ａ，２４ａによりヘッド部Ａを前後方向Ｅから挟み込んで保持して成ることを特徴としており、このように構成することで、前後方向Ｅへのヘッド部Ａの押し付けに対しても確実にヘッド部Ａを支持できると共に、グリップ部Ｂの前後壁２１ａ，２４ａを指で挟んだ状態で剃ることができるので、指がヘッド部Ａの動きを邪魔することがなくなり、従って、どのような剃り方をしても肌に追従できるようにヘッド部Ａの動きを大きくすることができるので、肌追従性能が大きく向上すると共に、グリップ部Ｂの箱状空間１１０とヘッド部Ａとが独立に構成されるため、防塵や防水が確実に行えるようになる。
【００１１】
また上記ヘッド部Ａとグリップ部Ｂの箱状空間１１０の上面側との間に、グリップ部Ｂをバネ付勢する付勢要素を設けるのが好ましく、この場合、付勢要素がグリップ部Ｂの太さに影響を与えないため、非常に持ちやすい細身のグリップ部Ｂを形成できると共に、ヘッド部Ａのフロート動作が安定する。
【００１２】
また上記付勢要素は、ヘッド部Ａに回転自在に結合されたヘッド支持部材４３をグリップ部Ｂの前後壁２１ａ，２４ａの内側に形成されたガイド溝４６，４７で上下動自在に保持すると共に該ヘッド支持部材４３を上方に向かってバネ付勢するのが好ましく、この場合、ヘッド部Ａの回転と上下動とがスムーズに行なわれる。
【００１３】
また上記ヘッド支持部材４３をヘッド部Ａの左右方向Ｆに複数個設けるのが好ましく、この場合、肌が当たった側のヘッド支持部材４３とは別のヘッド支持部材４３が回転軸となり、ヘッド部Ａを左右に傾かせる力が大きくなり、肌追随性が向上する。
【００１４】
また上記ヘッド支持部材４３をガイドするガイド溝４６の上端側に弾性部材１００を配置するのが好ましく、この場合、ガイド溝４６に沿ってヘッド支持部材４３が移動する際に、フロートしたヘッド支持部材４３が復帰するときの衝撃を弾性部材１００によって緩和できるようになり、手への衝撃や音を低減することができるものである。
【００１５】
また上記グリップ部Ｂは、前後２つのハウジング２１，２４によって箱状空間１１０とそれよりも上方に延出する前後壁２１ａ，２４ａとが構成されているのが好ましく、この場合、前後２つのハウジング２１，２４によってヘッド部Ａの保持とグリップ部Ｂの箱状空間１１０形成が同時に行えるため、組立てやすくなると共に、前後壁２１ａ，２４ａがヘッド部Ａの支持壁となることでヘッド保持剛性が大きくでき、剃り性能が安定すると共に部品点数を少なくできる。
【００１６】
また上記ヘッド部Ａの底面中央付近に底面両側よりも下側に突出する突出部１２ａを設けるのが好ましく、この場合、突出部１２ａにヘッド部Ａを支持する軸を形成し、突出部１２ａの両外側の下面位置を上側に上げることにより、よりヘッド部Ａの左右傾きを大きくすることができ、肌への追従性が向上する。
【００１７】
また上記ヘッド部Ａの突出部１２ａをグリップ部Ｂの前後壁２１ａ，２４ａで前後方向Ｅから覆うのが好ましく、この場合、剃り時にヘッド部Ａの動きを確認しやすく、髭が溜まりにくくなる。
【００１８】
また上記前後壁２１ａ，２４ａの左右方向Ｆの幅寸法Ｌ１をグリップ部Ｂの左右方向Ｆの幅寸法Ｌ２よりも短くするのが好ましく、この場合、通常の手によるグリップ状態において、指がヘッド部Ａの下側の可動範囲に入る可能性が大きく低減し、指がヘッド部Ａに当たってヘッド部Ａの動きに対しての妨げとなることなく、グリップ性を確保できるようになる。
【００１９】
また上記前後壁２１ａ，２４ａのいずれか一方にヘッド部Ａを前後方向Ｅに保持する機構を設けるのが好ましく、この場合、前後壁２１ａ，２４ａ間のピッチがばらついても、常にヘッド部Ａを一方の壁２１ａ又は２４ａで保持でき、ガタツキを防止できるようになる。
【００２０】
また上記ヘッド部Ａの背面下部から、前後壁２１ａ，２４ａのいずれか他方に摺接してヘッド部Ａの前後方向Ｅの傾きを防止する突起部９０を延出してなるのが好ましく、この場合、ヘッド部Ａの前後方向Ｅの傾きを防止でき、従って、剃り時にヘッド部Ａに対し前後方向Ｅの力が加わっても、突起部９０によってヘッド部Ａが前後に傾いて剃りにくくなるのを防ぐことができる。
【００２１】
また上記ヘッド部Ａとグリップ部Ｂの箱状空間１１０との間を防水構造として、ヘッド部Ａとグリップ部Ｂとを弾性チューブ２０で結合すると共に、弾性チューブ２０内にヘッド部Ａにグリップ部Ｂからの電力を供給するための電気配線を通すのが好ましく、この場合、防水状態でヘッド部Ａにグリップ部Ｂからの電力が供給されると共に、大きな相対移動が可能な状態で防水が可能となり、掃除性が向上する。
【００２２】
また上記グリップ部Ｂの少なくとも正面にエラストマ製の滑り止め部８０を配置するのが好ましく、この場合、指でグリップ部Ｂを握った状態において、親指が丁度その位置に配設され、グリップ性が向上し、剃りやすくなる。従って、非常に安定した、滑りにくい握り心地感を与えることが可能となる。
【００２３】
【発明の実施の形態】
以下、本発明を添付図面に示す実施形態に基づいて説明する。
【００２４】
本実施形態の電気かみそり１は、図１に示すように、大きく分けて刃ヘッドブロック２と、グリップブロック３とにより構成されており、グリップブロック３内の上端付近に刃ヘッドブロック２を支持する部材が配設されている。ここでは、図６に示すように、刃ヘッドブロック２とグリップブロック３との間に刃ヘッド支持ブロック４が配設されている。
【００２５】
先ず、刃ヘッドブロック２の構成について、図３〜図５に基づいて詳述する。
【００２６】
刃ヘッドブロック２は、大きく分けてリニアモータ５を収納したヘッドケースブロック６と、内刃７と、外刃ブロック８とにより構成されており、リニアモータ５の左右方向Ｆ（図１）の振動がその先端の駆動子９によって内刃７に伝えられて、内刃７と外刃１０が互いに摺動することにより、外刃１０の刃穴に入った髭をカットするものである。図５に示すように、リニアモータ５はその下部において、モータ基台１１と一体的に結合した状態でヘッドケース１２内に上側から挿入され、下側からヘッド下ネジ１３にて固定されている。
【００２７】
上記ヘッドケース１２は、図５に示すように、上からヘッドケースカバー１４、駆動子防水ゴム１５、ゴム押え板１６を介してヘッド上ネジ１７で固定されている。ヘッドケース１２をネジ固定することにより、ヘッドケースブロック６はリニアモータ５を内蔵した１つの箱体として構成されている。また、ヘッドケースカバー１４の下面には、防水用のゴム（図示せず）が設けられており、これによってヘッドケースブロック６は防水されたケースとして構成されている。リニアモータ５の下側から延びているリード線１８は、図３に示すように、リニアモータ５を駆動させるためにその先端部がグリップブロック３内の駆動回路に結合されるものであり、ヘッドケース１２下部に設けた穴（図示せず）を通って防水性のあるゴムチューブ２０を挿通した後に、後述する前ハウジング２１の上面に設けられた穴２２（図７）を通って、前後ハウジング２１，２２内の回路１９（図３）に結線される。ゴムチューブ２０の上端は、ヘッドケース１２底面に設けた筒穴（図示せず）に圧入した後に後述のヘッド止め部材２３の係止穴２３ａ（図５）によりその外側から係止され、ゴムチューブ２０の下端は後ハウジング２４上面のリード線用筒穴に圧入された後に、後述するクリック部材２５の係止穴２５ｂ（図７）に挿入されて係止されるようになっている。すなわち、ヘッド部Ａとグリップ部Ｂの箱状空間１１０との間を防水構造とし、さらに上記弾性チューブ２０でヘッド部Ａとグリップ部Ｂと結合し、弾性チューブ２０内にリード線１８を通して、防水状態でヘッド部Ａにグリップ部Ｂからの電力が供給されるようにしたので、大きな相対移動が可能な状態で防水が可能となり、掃除性も向上するものである。
【００２８】
上記ヘッドケース１２は、図５に示すように、その底面中央付近のみを下側に突出させた突出部１２ａとなっている。突出部１２ａにヘッド部Ａを支持する軸を形成し、その両外側の下面位置を上側に上げることにより、よりヘッド部Ａの左右傾きを大きくすることができ、肌への追従性も向上させることができるものである。しかもヘッドケース１２の下側への突出部１２ａのみを前後壁２１ａ，２４ａで覆い、その両外側に前後方向Ｅに貫通した隙間が設けられているため、剃り時にヘッド部Ａの動きを確認しやすく、ヘッド部Ａを左右に大きく回転させること示できると共に、髭が溜まりにくい構造となる。また、前後壁２１ａ，２４ａの幅寸法Ｌ１（図２）はグリップ部Ｂの左右方向Ｆの幅寸法Ｌ２（図２）よりも小さくなっている。これにより通常の手によるグリップ状態において、指がヘッド下側の可動範囲に入る可能性が大きく低減し、指がヘッド部Ａに当たってヘッド部Ａの動きに対しての妨げとなることなく、グリップ性を確保できる構造となっている。
【００２９】
ここで、上記ヘッド部Ａを前後方向Ｅに保持する機構と前後方向Ｅのガタツキを防止する機構とを説明する。前壁２１ａにはヘッド部Ａを前後方向Ｅに保持する機構が設けられている。図５に示す例ではヘッド止め部材２３の前後一対の係止突起２７がヘッドケース１２の前後両面の各凸部２６に係止することで、ヘッド止め部材２３はヘッドケースブロック６に取り付けられる。さらにヘッド止め部材２３の前側の上端部には左右に突出する突片２８，２８が設けられ、この突片２８，２８が前ハウジング２１の前壁２１ａに設けた開口２９に引掛けられることで、ヘッド止め部材２３の突片２８が前壁２１ａに係止され、これにより、ヘッドケースブロック６は前ハウジング２１に対して前後方向Ｅ（図１）に動かないように保持される。従って、前ハウジング２１の前壁２１ａと後ハウジング２４の後壁２４ａとの間のピッチがばらついても、常にヘッドケースブロック６を前ハウジング２１の前壁２１ａで保持して、前後方向Ｅのガタツキを防止できるようになる。さらに、ヘッド止め部材２３の背面下部から下側に延出するように突起部９０（図７）が形成され、この突起部９０が後壁２４の内面に摺接しており、これによりヘッドケースブロック６のの前後方向Ｅの傾きを防止している。つまり、突起部９０が後ハウジング２４の後壁２４ａ内面に摺接することで、ヘッドケースブロック６は前後方向Ｅに傾かない状態で上下方向のみにガイドされるようになることで、剃り時にヘッド部Ａに対して前後方向Ｅの力が加わっても、ヘッド部Ａが前後方向Ｅに傾かず、従来のようにヘッド部Ａが前後に傾いて剃りにくくなるのを防ぐことができるものである。
【００３０】
また上記ヘッドケース１２の長手方向両端面には、図５に示すように、刃着脱釦３０が配設されている。各刃着脱釦３０は、ヘッドケース１２に内包した刃着脱釦バネ３１により外側に付勢された状態で取り付けられている。
【００３１】
次に内刃７を説明する。上記リニアモータ５の駆動子９は、図５に示すヘッドケース１２の上面中央部の穴から上方に突出しており、この駆動子９に対して前後方向からスリット駆動桿３２、トリマー駆動桿３３が取り付けられている。駆動子９の中には内刃押上バネ３４がバネストッパー３５により保持されており、その上から内刃７が結合することにより、内刃７が上方に付勢された状態となっている。
【００３２】
次に外刃ブロック８を説明する。図４に示すように、３つの刃が前後方向Ｅに外刃１０（ネット刃）、スリット刃３６、外刃１０（ネット刃）の順で配設されており、それらはスリットフロートバネ３７によってそれぞれが独立にフロート可能となるように、枠形状の保持枠３８により保持されている。外刃１０は外刃枠３９により固定され、外刃枠３９は刃カバー部材４０により、保持枠３８に結合している。保持枠３８の左右方向Ｆ両端に設けられた係合穴４１に対して刃着脱釦３０上部の係合突起４２（図５）が係合することにより、外刃ブロック８はヘッドケース１２に対して着脱自在に保持されるものである。
【００３３】
次に刃ヘッド支持ブロック４の構成について、図３、図５、図６に基づいて詳述する。ヘッド支持部材４３は、図５に示すように、略コの字型に形成されており、その上先端部には穴部４４が設けられている。一方、ヘッドケース１２の前後壁には、それぞれ２箇所、計４箇所の前後方向Ｅに突出する支持突起４５が設けられている。前後の支持突起４５はそれぞれ、正面から見て同軸上となる位置に形成されている。
【００３４】
ここで、上記ヘッド支持部材４３は左右に２つ配設されており、それぞれの上部の穴部４４がヘッドケース１２の支持突起４５に対して回転自在に、且つヘッドケース１２を下側から前後に挟み込む状態で係合している。また、各ヘッド支持部材４３は、図３に示すように、前後の各ハウジング２１，２４の前後壁２１ａ，２４ａに形成された左右一対の縦溝状のガイド溝４６，４７にそれぞれ嵌め込まれることにより、ヘッド支持部材４３は前後壁２１ａ，２４ａに挟まれた状態で上下動自在に保持されている。
【００３５】
ここで、上記ヘッド支持部材４３が左右に２つ設けたことによる機能は以下のように説明できる。肌面と異なる角度にヘッド部Ａが押し当てられた場合、ヘッド部Ａの両端部が肌に当たり、ヘッド部Ａを下に下げようとする力が発生する。このとき、ヘッド部Ａの回転の支点は、肌が当たった側と反対側のヘッド支持部材４３が軸となるために、力点との距離が大きくなり、ヘッド部Ａを回転させるための力が大きくなる。よって肌に対して沿う状態まで、ヘッド部Ａが軽い力で回転するために、肌と刃が密着して、より剃り残しのない電気かみそり１を提供できるものである。
【００３６】
さらに本例では、前壁２１ａ側のガイド溝４６の上端側にエラストマ製の弾性部材１００（図７）が配置されている。弾性部材１００はガイド溝４６の上端に設けられており、ガイド溝４６に沿ってヘッド支持部材４３が移動する際に、フロートしたヘッド支持部材４３が復帰するときの衝撃を弾性部材１００によって緩和して、手への衝撃や音を低減する働きをする。
【００３７】
次に上記ヘッド支持部材４３を付勢するバネブロック５０を説明する。バネブロック５０は、図３、図７に示すように、各ヘッド支持部材４３に対応して、左右に２つ設けられており、１つのバネブロック５０にはコイルバネ５１と板バネ５２が上下のバネ受け部材５３により保持されている。コイルバネ５１は上下の各バネ受け部材５３に設けられた突起（図示せず）で保持されている。板バネ５２は略Ｕ字型に形成されており、その一片が上側のバネ受け部材５３の突起を溶着することにより固定される。下側のバネ受け部材５３には、コイルバネ５１を挟む位置に２か所の突出部（図示せず）を有しており、その先端フックが上側のバネ受け部材５３に設けた穴（図示せず）と係合することにより、バネブロック５０を形成する。バネブロック５０の上側のバネ受け部材５３がヘッド支持部材４３の下面に当たり、下側のバネ受け部材５３が前後のハウジング２１，２４の箱状空間１１０の底面に当ることで、ヘッド支持部材４３はバネブロック５０によって下から支持される。これらの構成により、ヘッドケースブロック６の大きな相対移動が可能な状態で防水が可能となり、掃除性が向上するものとなる。また、上記のようにヘッド部Ａとグリップ部Ｂの箱状空間１１０の上面側の間に付勢要素を構成するヘッド支持部材４３とバネブロック５０とを設けたことで、付勢要素がグリップ部Ｂの太さに影響を与えないため、非常に持ちやすい細身のグリップ部Ｂを形成できると共に、ヘッド部Ａの下面の厚み方向全体に亘ってヘッド部Ａを支持することができ、ヘッド部Ａの動作が安定する。しかも、ヘッド部Ａに回転自在に結合されたヘッド支持部材４３をハウジングの前後壁２１ａ，２４ａの内側に形成されたガイド溝４６，４７で上下動自在に保持し、ヘッド支持部材４３をバネブロック５０にてバネ付勢したことによって、ヘッド部Ａの回転と上下動を行なうことができる構造となる。
【００３８】
次に上記バネブロック５０のバネ力を調整する機構を説明する。後ハウジング２４の片側の側面上部には、図３に示すように、扇形の平面部６３と穴６２とが形成されており、上記穴６２にレバー軸６４が挿通される。レバー軸６４の先端部に設けた突起６５に、レバー操作子６６が回転自在に結合しており、レバー操作子６６は後ハウジング２４の上記平面部６３に配設される。レバー軸６４は上記バネブロック５０の内側に挿入されて、レバー操作子６６を動かすことにより、レバー軸６４が回転し、レバー軸６４に設けた突部６７の先端高さが変化することで、バネブロック５０全体が上下に伸縮して、バネ受け部材５３の下面や板バネ５２を受ける高さを変化させることができ、これにより、フロート量やフロート力の調整を行えるようになっている。さらに、上記レバー軸６４の中央付近には先端に球形状を有する突起６８が形成されており、この突起６８がレバー軸６４に装着されているクリック部材２５の溝２５ａと係合することにより、クリック感を得ながらレバー軸６４の回転位置を位置決めできるようになっている。
【００３９】
次にグリップブロック３について、図１、図２、図３、図６に基づいて詳述する。グリップブロック３は前後に分割したハウジング２１，２４を中心に構成されており、前後のハウジング２１，２４はその間にゴムのＯリング５５（図３、図７）を挟んで結合されることにより、その内側に防水可能な箱状空間１１０を形成すると共に、箱状空間１１０の前後上端から上方に向かって前後壁２１ａ，２４ａがそれぞれ延出しており、これら前後壁２１ａ，２４ａの各内面がヘッド保持部となっている。ハウジング２１，２４内に形成された箱状空間１１０には、図３に示すように、電池５６、回路１９、それらを保持するための基台５６ａ等が配設される。前後のハウジング２１，２４はその背面部からハウジング固定ネジ５７により固定される。図３中の５８はネジ蓋である。
【００４０】
上記前ハウジング２１の前面には、スイッチ５９を挟み込んだ状態で、前ハウジシグ２１前面に設けたフックにより前面パネル６０が結合している。なお後ハウジング２４の背面には後面パネル６１が結合している。
【００４１】
また、トリマーブロック７０は、図２、図３、図７に示すように、後面パネル６１側に上下方向にスライド自在に取り付けられており、そのスライド上部位置において、トリマー駆動子７１（図３）が刃ヘッドブロック２に設けられたトリマー駆動桿３３（図５）と結合し、駆動される。
【００４２】
しかして、ヘッド部Ａは下側に箱状空間１１０を形成するグリップ部Ｂの前後壁２１ａ，２４ａにより挟まれた状態で保持されることにより、前後方向Ｅへのヘッド部Ａの押し付けに対しても確実にヘッド部Ａを支持できると共に、グリップ部Ｂの箱状空間１１０の上面側とヘッド部Ａとが独立に構成されるため、防塵や防水が確実に行えると共にヘッド部Ａの動きを大きくすることができるので肌追従性能が大きく向上する。しかも、グリップ部Ｂの前後壁２１ａ，２４ａでヘッド部Ａを前後方向Ｅから挟み込んで保持することで、前後壁２１ａ，２４ａを指で挟んだ状態で剃ることができるので、指がヘッド部Ａの動きを邪魔することがなくなる。
【００４３】
また本例では、ヘッド支持ブロックはヘッド部Ａとグリップ部Ｂの間に配設されているので、刃ヘッドブロックがグリップ部Ｂの太さに影響を与えなくなるため、非常に持ちやすい細身のグリップ部Ｂを形成できると共に、ヘッド部Ａの下面の厚み方向全体に亘ってヘッド部Ａを支持することができ、ヘッド部Ａの動作が安定するという利点もある。
【００４４】
また、グリップ部Ｂは前後２つのハウジング２１，２４によって下部に箱状空間１１０が構成され、且つその上方に延出する前後壁２１ａ，２４ａが構成されるので、ヘッド部Ａの保持とグリップ部Ｂの箱状空間１１０形成が同時に行えるため、組立てやすくなる。また、ヘッド部Ａの支持壁がハウジングと一体に形成されているので、ヘッド保持剛性が大きくできるので剃り性能が安定すると共に、部品点数を少なくできるという利点もある。
【００４５】
また、グリップ部Ｂの左右方向Ｆの幅寸法Ｌ２（図２）よりも前後壁２１ａ，２４ａの幅寸法Ｌ１が小さくなっているため、通常の手によるグリップ状態において、指がヘッド下側の可動範囲に入る可能性が大きく低減し、指がヘッド部Ａに当たってヘッド部Ａの動きに対しての妨げとなることなく、グリップ性を確保できるものである。
【００４６】
さらに本例では、図１、図２のドット部分で示すように、グリップ部Ｂの正面Ｂ１にはエラストマ製の滑り止め部８０が配設されている。ここでは、グリップ部Ｂの側面Ｂ２から背面下半部にかけて、エラストマのような摩擦係数の大きい弾性部材からなる滑り止め部８０が連続的に配設され且つこの滑り止め部８０はグリップ部Ｂの正面上半部Ｂ１ａにも配設されている。さらに、側面Ｂ２の滑り止め部８０を側面上半部Ｂ２ａまで延設している。さらにグリップ部Ｂの側面Ｂ２の滑り止め部８０を正面下半部Ｂ１ｂまで延設しており、これにより、グリップ部Ｂを一周するように滑り止め部８０が連続的に配設されている。これにより、図１０に示す「はさみ持ち」や、図１１に示す「つかみ持ち」の場合のいずれでも、手の大きさや、把持時の微妙な位置ズレに関係なく、中指・薬指・小指のいずれか１本以上における小丘・基節・中節・末節、及び小指丘・母指丘が確実に滑り止め部８０に接触するため、側面方向及び背面方向からの接触圧に対するグリップ性（グリップ把持性能）が向上する。さらにグリップ部Ｂの正面上半部Ｂ１ａにもエラストマ製の滑り止め部８０を配設することにより、指でグリップ部Ｂを握った状態において、親指が丁度その位置に配設され、非常に安定した、滑りにくい握り心地感を与えることが可能となる。
【００４７】
【発明の効果】
上述のように請求項１記載の発明にあっては、モータと刃を備えたヘッド部がグリップ部に対して移動自在に支持されている電気かみそりにおいて、グリップ部の内部にヘッド部の底面よりも下側に位置する箱状空間を形成すると共に、該箱状空間よりも上方に延出する前後壁を設け、前後壁によりヘッド部を前後方向から挟み込んで保持して成るので、前後方向へのヘッド部の押し付けに対しても確実にヘッド部を支持できると共に、グリップ部の前後壁を指で挟んだ状態で剃ることができるので、指がヘッド部の動きを邪魔することがなくなり、従って、どのような剃り方をしても肌に追従できるようにヘッド部の動きを大きくすることができるので、肌追従性能が大きく向上するものである。さらに、グリップ部の箱状空間とヘッド部とが独立に構成されるため、箱状空間を閉空間とすることで防塵や防水が確実に行える電気かみそりを提供することができる。
【００４８】
また請求項２記載の発明は、請求項１記載の効果に加えて、上記ヘッド部とグリップ部の箱状空間の上面側との間に、グリップ部をバネ付勢する付勢要素を設けたので、付勢要素がグリップ部の太さに影響を与えないため、非常に持ちやすい細身のグリップ部を形成できると共に、ヘッド部のフロート動作が安定する。
【００４９】
また請求項３記載の発明は、請求項２記載の効果に加えて、上記付勢要素は、ヘッド部に回転自在に結合されたヘッド支持部材をグリップ部の前後壁の内側に形成されたガイド溝で上下動自在に保持すると共に該ヘッド支持部材を上方に向かってバネ付勢するので、ヘッド部の回転と上下動とがスムーズに行なわれる。
【００５０】
また請求項４記載の発明は、請求項３記載の効果に加えて、上記ヘッド支持部材をヘッド部の左右方向に複数個設けたので、肌が当たった側のヘッド支持部材とは別のヘッド支持部材が回転軸となり、ヘッド部を左右に傾かせる力が大きくなり、肌追随性が向上する。
【００５１】
また請求項５記載の発明は、請求項３記載の効果に加えて、上記ヘッド支持部材をガイドするガイド溝の上端側に弾性部材を配置したので、ガイド溝に沿ってヘッド支持部材が移動する際に、フロートしたヘッド支持部材が復帰するときの衝撃を弾性部材によって緩和できるようになり、手への衝撃や音を低減することができるものである。
【００５２】
また請求項６記載の発明は、請求項１記載の効果に加えて、上記グリップ部は、前後２つのハウジングによって箱状空間とそれよりも上方に延出する前後壁とが構成されているので、前後２つのハウジングによってヘッド部の保持とグリップ部の箱状空間形成が同時に行えるため、組立てやすくなると共に、前後壁がヘッド部の支持壁となることでヘッド保持剛性が大きくでき、剃り性能が安定すると共に部品点数を少なくできるものである。
【００５３】
また請求項７記載の発明は、請求項１記載の効果に加えて、上記ヘッド部の底面中央付近に底面両側よりも下側に突出する突出部を設けたので、この突出部にヘッド部を支持する軸を形成し、突出部の両外側の下面位置を上側に上げることにより、よりヘッド部の左右傾きを大きくすることができ、肌への追従性も向上させることができる。
【００５４】
また請求項８記載の発明は、請求項７記載の効果に加えて、上記ヘッド部の突出部をグリップ部の前後壁で前後方向から覆ったので、剃り時にヘッド部の動きを確認しやすく、髭が溜まりにくくなる。
【００５５】
また請求項９記載の発明は、請求項１又は６又は８記載の効果に加えて、上記前後壁の左右方向の幅寸法をグリップ部の左右方向の幅寸法よりも短くしたので、通常の手によるグリップ状態において、指がヘッド部の下側の可動範囲に入る可能性が大きく低減し、指がヘッド部に当たってヘッド部の動きに対しての妨げとなることなく、グリップ性を確保できるものである。
【００５６】
また請求項１０記載の発明は、請求項１又は３又は６又は８又は９記載の効果に加えて、上記前後壁のいずれか一方にヘッド部を前後方向に保持する機構を設けたので、前後壁間のピッチがばらついても、常にヘッド部を一方の壁で保持して、ガタツキを防止できるものである。
【００５７】
また請求項１１記載の発明は、請求項１０記載の効果に加えて、上記ヘッド部の背面下部から、前後壁のいずれか他方に摺接してヘッド部の前後方向の傾きを防止する突起部を延出してなるので、ヘッド部の前後方向の傾きを防止でき、従って、剃り時にヘッド部に対し前後方向の力が加わっても、ヘッド部が前後に傾いて剃りにくくなるのを防ぐことができる。
【００５８】
また請求項１２記載の発明は、請求項１記載の効果に加えて、上記ヘッド部とグリップ部の箱状空間との間を防水構造として、ヘッド部とグリップ部とを弾性チューブで結合すると共に、弾性チューブ内にヘッド部にグリップ部からの電力を供給するための電気配線を通したので、防水状態でヘッド部にグリップ部からの電力が供給されると共に、大きな相対移動が可能な状態で防水が可能となり、掃除性が向上する。
【００５９】
また請求項１３記載の発明は、請求項１〜１２のいずれかに記載の効果に加えて、グリップ部の少なくとも正面にエラストマ製の滑り止め部を配置したので、指でグリップ部を握った状態において、親指が丁度その位置に配設され、グリップ性が向上し、剃りやすくなる。従って、非常に安定した、滑りにくい握り心地感を与えることが可能となる。
【図面の簡単な説明】
【図１】本発明の実施形態の一例を示す全体斜視図である。
【図２】同上の正面図である。
【図３】同上の全体の分解斜視図である。
【図４】同上の外刃ブロックの分解斜視図である。
【図５】同上のヘッドケースブロックの分解斜視図である。
【図６】同上の後ハウジングを外した状態の背面図である。
【図７】同上の全体の分解斜視図である。
【符号の説明】
１　電気かみそり
５　モータ
１２ａ　突出部
２０　弾性チューブ
２１　前ハウジング
２１ａ　前壁
２４　後ハウジング
２４ａ　後壁
４３　ヘッド支持部材
４６，４７　ガイド溝
８０　滑り止め部
９０　突起部
１００　弾性部材
１１０　箱状空間
Ａ　ヘッド部
Ｂ　グリップ部
Ｅ　前後方向
Ｆ　左右方向
Ｌ１，Ｌ２　幅寸法
【図１】
2004016812.tif 000003
【図２】
2004016812.tif 000004
【図３】
2004016812.tif 000005
【図４】
2004016812.tif 000006
【図５】
2004016812.tif 000007
【図６】
2004016812.tif 000008
【図７】
2004016812.tif 000009